(57)【要約】【課題】  公衆が利用する施設とその施設の清掃を管理する施設清掃管理方法と施設清掃管理プログラムを提供しようとする。【解決手段】  従来の施設清掃管理方法に変わって、施設を利用する利用者に利用する直前の施設が清掃されている程度を評価させて施設を利用する利用者から施設についての評価値を取得し、特定利用者から取得した特定施設についての特定評価値と特定利用者が特定施設を利用した直ぐ後に特定施設を利用した直後利用者から取得した特定施設についての直後評価値との差分を基に前記特定利用者である利用者を採点する利用者採点工程と、利用者採点工程で利用者を採点した結果に基づき採点された利用者に通貨を与える通貨付与工程と、を備えるものとした。【選択図】    図１
2020086635.tif 000002
【特許請求の範囲】
【請求項１】
公衆が利用する単数または複数の施設の清掃を管理する施設清掃管理方法であって、
施設を利用する公衆を利用者と呼称するとき、
施設を利用する利用者に利用する直前の施設が清掃されている程度を評価させて施設を利用する利用者から利用する施設についての評価値を取得する評価値取得工程と、
特定の利用者である特定利用者から取得した特定利用者が利用した特定の施設である特定施設についての前記評価値である特定評価値と特定利用者が特定施設を利用した直ぐ後に特定施設を利用した利用者である直後利用者から取得した特定施設についての前記評価値である直後評価値との差分を基に前記特定利用者である利用者を採点する利用者採点工程と、
利用者採点工程で利用者を採点した結果に基づき採点された利用者に通貨を与える通貨付与工程と、
を備える、
ことを特徴とする施設清掃管理方法
【請求項２】
前記通貨付与工程が、
利用者採点工程で利用者を採点した結果に基づき採点された利用者と採点された利用者に与えられるポイント数とを関連づける利用者レイティング工程と、
利用者に関連づけられた前記ポイント数に対応する経済的価値である対価を演算する価値演算工程と、
前記価値演算工程で演算して得た前記対価と経済的価値を同一とする通貨を利用者へ送金する通貨送金工程と、を有する、
ことを特徴とする請求項１に記載の施設清掃管理方法。
【請求項３】
前記ポイント数は利用者を採点して得た複数の採点に各々に対応する単一ポイント数を積算したものである、
ことを特徴とする請求項２に記載の施設清掃管理方法。
【請求項４】
公衆が利用する単数または複数の施設の清掃を管理する施設清掃管理プログラムであって、
施設の清掃を管理する制御装置に、
予め施設を利用する公衆である利用者に利用者ＩＤを付与する利用者ＩＤ付与機能と、
施設を利用する利用者に利用する直前の施設が清掃されている程度を評価させて利用者から利用する施設についての評価値を取得し施設を利用しようとする利用者の利用者ＩＤと取得した施設ＩＤとを関連づけて施設の利用の時系列推移を記録するＤＢである利用記録ＤＢに追記する評価値取得機能と、
前記利用記録ＤＢに記録された特定の利用者である特定利用者から取得した特定利用者が利用した特定の施設である特定施設についての前記評価値である特定評価値と特定利用者が特定施設を利用した直ぐ後に特定施設を利用した利用者である直後利用者から取得した特定施設についての前記評価値である直後評価値との差分を基に前記特定利用者である利用者を採点する利用者採点機能と、
利用者採点機能を実現し利用者を採点した結果に基づき採点された利用者に通貨を与える通貨付与機能と、
を実現させる、
ことを特徴とする施設清掃管理プログラム。
【請求項５】
前記通貨付与機能が、
利用者採点機能を実現して利用者を採点した結果に基づき採点された利用者の利用者ＩＤと採点された利用者の利用者ＩＤに関連づけられるポイント数とを記録したＤＢであるポイント数ＤＢを更新する利用者レイティング機能と、
利用者の利用者ＩＤに関連づけられた前記ポイント数に対応する経済的価値である対価を演算する対価演算機能と、
前記対価演算機能を実現して得た前記対価と経済的価値を同一とする通貨を前記要求利用者へ送金する通貨送金機能と、を有する、
ことを特徴とする請求項４に記載の施設清掃管理プログラム。
【請求項６】
前記ポイント数は利用者を採点して得た複数の採点に各々に対応する単一ポイント数を積算したものである、
ことを特徴とする請求項５に記載の施設清掃管理プログラム。
【請求項７】
公衆が利用する単数または複数の施設であって、
施設を利用する公衆を利用者と呼称するとき、
施設を利用する利用者に利用する直前の施設が清掃されている程度を評価させて施設を利用する利用者から利用する施設についての評価値を取得し、
特定の利用者である特定利用者から取得した特定利用者が利用した特定の施設である特定施設についての前記評価値である特定評価値と特定利用者が特定施設を利用した直ぐ後に特定施設を利用した利用者である直後利用者から取得した特定施設についての前記評価値である直後評価値との差分を基に前記特定利用者である利用者を採点し、
利用者を採点した結果に基づき採点された利用者に通貨を与える、
ことを特徴とする施設。
【請求項８】
利用者を採点した結果に基づき採点された利用者に通貨を与えるときに、
利用者を採点した結果に基づき採点された利用者と採点された利用者に与えられるポイント数とを関連づけし、
利用者に関連づけられた前記ポイント数に対応する経済的価値である対価を演算し、
演算して得た前記対価と経済的価値を同一とする通貨を利用者へ送金する
ことを特徴とする請求項７に記載の施設。
【請求項９】
前記ポイント数は利用者を採点して得た複数の採点に各々に対応する単一ポイント数を積算したものである、
ことを特徴とする請求項８に記載の施設。
【発明の詳細な説明】
【技術分野】
【０００１】
本発明は、公衆が利用する施設とその施設の清掃を管理する施設清掃管理方法とその施設製造管理プログラムに係る。
【背景技術】
【０００２】
出願人は、安全で快適で地球に優しい完全自律型多目的衛生システムを世界最速で普及維持するためのグローバルプラットフォームを構築する。出願人は、このグローバルプラットフォームにより、自律型衛生システムを高速低廉な建築を可能にする３Ｄプリントシステムによって、主にアジア、中東、アフリカ諸国でスピード実装している社会開発運動を推進する。
【０００３】
そのプラットフォームは、電気、上下水道等のインフラストラクチャーがまったく存在しない場所でも自律的に展開運用することが可能な、トイレ機能を有するジェンダーフリーの多目的快適空間を持つ。多目的快適空間では、ＡＩやＩｏＴ等を活用し、衛生システム利用時の個人の健康関連データを収集してブロックチェーン技術を利用して格納する。個人が、自分の健康関連データを改竄のないセキュアーな生体データとして自己管理できる。
【０００４】
そのプラットフォームは、仮想通貨等のブロックチェーン技術を活用し、バイオトイレの開発資金のファンディングから施設の設計施工管理プロセス、並びに利用者のコニュニティ運営に至るまで、スマートコントラクトの束によって契約履行される非中央集権的なコミュニティを構築できる。仮想通貨等で発行される独自トークンが、コミュニティ内の仮想通貨として流通し、各種役務の対価として利用される。
【０００５】
完全自律型多目的衛生システムの一つとして、公衆が利用する施設が考えられる。
例えば、完全自律型多目的衛生システムの一つとして、公衆が利用するトイレ、避難小屋、山小屋、シェルター、その他が考えられる。
【０００６】
出願人は、公衆が利用する施設であって完全自律型に清掃するのに適した施設と施設清掃管理方法と施設清掃管理プログラムを検討した。
【０００７】
出願人は、施設を利用する利用者が自律的に施設を清掃する方法とその方法を実行するプログラムを検討した。
【発明の概要】
【発明が解決しようとする課題】
【０００８】
本発明は以上に述べた問題点に鑑み案出されたもので、公衆が利用する施設とその施設の清掃を管理する施設清掃管理方法と施設清掃管理プログラムを提供しようとする。
【課題を解決するための手段】
【０００９】
上記目的を達成するため、本発明に係る公衆が利用する施設の清掃を管理する施設清掃管理方法では、施設を利用する公衆を利用者と呼称するとき、施設を利用する利用者に利用する直前の施設が清掃されている程度を評価させて施設を利用する利用者から利用する施設についての評価値を取得する評価値取得工程と、特定の利用者である特定利用者から取得した特定利用者が利用した特定の施設である特定施設についての前記評価値である特定評価値と特定利用者が特定施設を利用した直ぐ後に特定施設を利用した利用者である直後利用者から取得した特定施設についての前記評価値である直後評価値との差分を基に前記特定利用者である利用者を採点する利用者採点工程と、利用者採点工程で利用者を採点した結果に基づき採点された利用者に通貨を与える通貨付与工程と、を備えるものとした。
【００１０】
上記本発明の構成では、施設を利用する公衆を利用者と呼称するとき、評価値取得工程は、施設を利用する利用者に利用する直前の施設が清掃されている程度を評価させて施設を利用する利用者から利用する施設についての評価値を取得する。利用者採点工程は、特定の利用者である特定利用者から取得した特定利用者が利用した特定の施設である特定施設についての前記評価値である特定評価値と特定利用者が特定施設を利用した直ぐ後に特定施設を利用した利用者である直後利用者から取得した特定施設についての前記評価値である直後評価値との差分を基に前記特定利用者である利用者を採点する。通貨付与工程は、利用者採点工程で利用者を採点した結果に基づき採点された利用者に通貨を与える。
その結果、利用者が施設を利用する直前の施設が清掃されている程度を評価させ、特定の利用者から取得した特定評価値と直後の利用者から取得した直後評価値との差分を基に利用者を採点し、採点した結果に基づき利用者に通貨を与える様にしたので、施設を清掃するインセンティブを利用者に与えることができる。
【００１１】
以下に、本発明の実施形態に係る施設清掃管理方法を説明する。本発明は、以下に記載した実施形態のいずれか、またはそれらの中の二つ以上が組み合わされた態様を含む。
【００１２】
本発明の実施形態に係る施設清掃管理方法は、前記通貨付与工程が、利用者採点工程で利用者を採点した結果に基づき採点された利用者と採点された利用者に与えられるポイント数とを関連づける利用者レイティング工程と、利用者に関連づけられた前記ポイント数に対応する経済的価値である対価を演算する価値演算工程と、前記価値演算工程で演算して得た前記対価と経済的価値を同一とする通貨を利用者へ送金する通貨送金工程と、を有する。
上記の実施形態の構成では、前記通貨付与工程において、利用者レイティング工程は、利用者採点工程で利用者を採点した結果に基づき採点された利用者と採点された利用者に与えられるポイント数とを関連づける。価値演算工程は、利用者に関連づけられた前記ポイント数に対応する経済的価値である対価を演算する。通貨送金工程は、前記価値演算工程で演算して得た前記対価と経済的価値を同一とする通貨を利用者へ送金する。
その結果、採点した結果に基づき採点された利用者に関連づくポイント数を更新し、利用者に利用者に関連づけられた前記ポイント数に対応する対価と経済的価値を同一とする通貨を送金する様にしたので、施設を清掃するインセンティブを利用者に与えることができる。
【００１３】
本発明の実施形態に係る施設清掃管理方法において、前記ポイント数は利用者を採点して得た複数の採点に各々に対応する単一ポイント数を積算したものである、
上記の実施形態の構成では、前記ポイント数は利用者を採点して得た複数の採点に各々に対応する単一ポイント数を積算したものである、
その結果、利用者を採点して得た複数の採点に各々に対応する単一ポイント数を積算したポイント数に対応する対価と経済的価値を同一とする通貨を送金する様にしたので、施設を清掃するインセンティブを利用者に与えることができる。
【００１４】
上記目的を達成するため、本発明に係る公衆が利用する施設の清掃を管理する施設清掃管理プログラムでは、施設の清掃を管理する制御装置に、予め施設を利用する公衆である利用者に利用者ＩＤを付与する利用者ＩＤ付与機能と、リアルタイムに施設を利用しようとする利用者を認証し施設を利用しようとする利用者の利用者ＩＤを取得する利用者認証機能と、リアルタイムに利用者が利用しようとする施設を認証し施設の施設ＩＤを取得し施設を利用しようとする利用者の利用者ＩＤと取得した施設ＩＤとを関連づけて施設の利用の時系列推移を記録するＤＢである利用記録ＤＢを更新する利用記録更新機能と、施設を利用する利用者に利用する直前の施設が清掃されている程度を評価させて利用者から利用する施設についての評価値を取得する評価値取得機能と、特定の利用者である特定利用者から取得した特定利用者が利用した特定の施設である特定施設についての前記評価値である特定評価値と特定利用者が特定施設を利用した直ぐ後に特定施設を利用した利用者である直後利用者から取得した特定施設についての前記評価値である直後評価値との差分を基に前記特定利用者である利用者を採点する利用者採点機能と、利用者採点機能を実現して利用者を採点した結果に基づき採点された利用者に通貨を与える通貨付与機能と、を実現させる。
【００１５】
上記本発明の構成では、利用者ＩＤ付与機能は、予め施設を利用する公衆である利用者に利用者ＩＤを付与する機能である。利用者認証機能は、リアルタイムに施設を利用しようとする利用者を認証し施設を利用しようとする利用者の利用者ＩＤを取得する機能である。利用記録更新機能は、リアルタイムに利用者が利用しようとする施設を認証し施設の施設ＩＤを取得し施設を利用しようとする利用者の利用者ＩＤと取得した施設ＩＤとを関連づけて施設の利用の時系列推移を記録するＤＢである利用記録ＤＢを更新する機能である。評価値取得機能は、施設を利用する利用者に利用する直前の施設が清掃されている程度を評価させて利用者から利用する施設についての評価値を取得する機能である。利用者採点機能は、特定の利用者である特定利用者から取得した特定利用者が利用した特定の施設である特定施設についての前記評価値である特定評価値と特定利用者が特定施設を利用した直ぐ後に特定施設を利用した利用者である直後利用者から取得した特定施設についての前記評価値である直後評価値との差分を基に前記特定利用者である利用者を採点する機能である。通貨付与機能は、利用者採点機能を実現して利用者を採点した結果に基づき採点された利用者に通貨を与える機能である。
その結果、利用者が施設を利用する直前の施設が清掃されている程度を評価させた評価値を利用者ＩＤに関連づけ、前記特定の利用者の利用者ＩＤに関連づけられた特定評価値と前記直後の利用者の利用者ＩＤに関連づけらた直後評価値との差分を基に前記特定の利用者を採点し、採点した結果に基づき利用者に通貨を与える様にしたので、施設を清掃するインセンティブを利用者に与えることができる。
【００１６】
以下に、本発明の実施形態に係る施設清掃管理プログラムを説明する。本発明は、以下に記載した実施形態のいずれか、またはそれらの中の二つ以上が組み合わされた態様を含む。
【００１７】
本発明の実施形態に係る施設清掃管理プログラムでは、前記通貨付与機能は、利用者採点機能を実現して利用者を採点した結果に基づき採点された利用者の利用者ＩＤと採点された利用者の利用者ＩＤに関連づけられるポイント数とを記録したＤＢであるポイント数ＤＢを更新する利用者レイティング機能と、利用者の利用者ＩＤに関連づけられた前記ポイント数に対応する経済的価値である対価を演算する対価演算機能と、前記対価演算機能を実現して得た前記対価と経済的価値を同一とする通貨を前記要求利用者へ送金する通貨送金機能と、を有する。
上記の実施形態の構成では、前記通貨付与機能において、利用者レイティング機能は、利用者採点機能を実現して利用者を採点した結果に基づき採点された利用者の利用者ＩＤと採点された利用者の利用者ＩＤに関連づけられるポイント数とを記録したＤＢであるポイント数ＤＢを更新する機能である。対価演算機能は、利用者の利用者ＩＤに関連づけられた前記ポイント数に対応する経済的価値である対価を演算する機能である。通貨送金機能は、前記対価演算機能を実現して得た前記対価と経済的価値を同一とする通貨を前記要求利用者へ送金する機能である。
その結果、採点した結果に基づき採点された前記特定利用者ＩＤに関連づくポイント数を更新し、利用者に利用者ＩＤに関連づけられた前記ポイント数に対応する対価と経済的価値を同一とする通貨を送金する様にしたので、施設を清掃するインセンティブを利用者に与えることができる。
【００１８】
本発明の実施形態に係る施設清掃管理プログラムでは、前記ポイント数は利用者を採点して得た複数の採点に各々に対応する単一ポイント数を積算したものである、
上記の実施形態の構成では、前記ポイント数は利用者を採点して得た複数の採点に各々に対応する単一ポイント数を積算したものである。
その結果、利用者を採点して得た複数の採点に各々に対応する単一ポイント数を積算した前記ポイント数に対応する対価と経済的価値を同一とする通貨を送金する様にしたので、施設を清掃するインセンティブを利用者に与えることができる。
【００１９】
上記目的を達成するため、本発明に係る公衆が利用する施設では、施設を利用する公衆を利用者と呼称するとき、施設を利用する利用者に利用する直前の施設が清掃されている程度を評価させて施設を利用する利用者から利用する施設についての評価値を取得し、特定の利用者である特定利用者から取得した特定利用者が利用した特定の施設である特定施設についての前記評価値である特定評価値と特定利用者が特定施設を利用した直ぐ後に特定施設を利用した利用者である直後利用者から取得した特定施設についての前記評価値である直後評価値との差分を基に前記特定利用者である利用者を採点し、利用者を採点した結果に基づき採点された利用者に通貨を与える、ものとした。
【００２０】
上記本発明の構成では、施設を利用する公衆を利用者と呼称するとき、施設を利用する利用者に利用する直前の施設が清掃されている程度を評価させて施設を利用する利用者から利用する施設についての評価値を取得する。特定の利用者である特定利用者から取得した特定利用者が利用した特定の施設である特定施設についての前記評価値である特定評価値と特定利用者が特定施設を利用した直ぐ後に特定施設を利用した利用者である直後利用者から取得した特定施設についての前記評価値である直後評価値との差分を基に前記特定利用者である利用者を採点する。利用者を採点した結果に基づき採点された利用者に通貨を与える。
その結果、利用者が施設を利用する直前の施設が清掃されている程度を評価させ、特定の利用者から取得した特定評価値と直後の利用者から取得した直後評価値との差分を基に利用者を採点し、採点した結果に基づき利用者に通貨を与える様にしたので、施設を清掃するインセンティブを利用者に与えることができる。
【００２１】
以下に、本発明の実施形態に係る施設を説明する。本発明は、以下に記載した実施形態のいずれか、またはそれらの中の二つ以上が組み合わされた態様を含む。
【００２２】
本発明の実施形態に係る施設では、利用者を採点した結果に基づき採点された利用者に通貨を与えるときに、利用者を採点した結果に基づき採点された利用者と採点された利用者に与えられるポイント数とを関連づけし、利用者に関連づけられた前記ポイント数に対応する経済的価値である対価を演算し、演算して得た前記対価と経済的価値を同一とする通貨を利用者へ送金する。
上記の実施形態の構成では、利用者を採点した結果に基づき前記特定利用者である利用者と前記特定利用者である利用者に関連づけられるポイント数とを記録したＤＢであるポイント数ＤＢを更新する。利用者に関連づけられた前記ポイント数に対応する経済的価値である対価を演算する。演算して得た前記対価と経済的価値を同一とする通貨を利用者へ送金する。
その結果、採点した結果に基づき採点された利用者に関連づくポイント数を更新し、利用者に利用者に関連づけられた前記ポイント数に対応する対価と経済的価値を同一とする通貨を送金する様にしたので、施設を清掃するインセンティブを利用者に与えることができる。
【００２３】
本発明の実施形態に係る施設において、前記ポイント数は利用者を採点して得た複数の採点に各々に対応する単一ポイント数を積算したものである、
上記の実施形態の構成では、前記ポイント数は利用者を採点して得た複数の採点に各々に対応する単一ポイント数を積算したものである、
その結果、利用者を採点して得た複数の採点に各々に対応する単一ポイント数を積算したポイント数に対応する対価と経済的価値を同一とする通貨を送金する様にしたので、施設を清掃するインセンティブを利用者に与えることができる。
【発明の効果】
【００２４】
以上説明したように、本発明に係る施設清掃管理方法は、その構成により、以下の効果を有する。
利用者が施設を利用する直前の施設が清掃されている程度を評価させ、特定の利用者から取得した特定評価値と直後の利用者から取得した直後評価値との差分を基に利用者を採点し、採点した結果に基づき利用者に通貨を与える様にしたので、施設を清掃するインセンティブを利用者に与えることができる。
また、採点した結果に基づき採点された特定利用者と前記特定利用者に与えられるポイント数を関連づけし、利用者に利用者に関連づけられた前記ポイント数に対応する対価と経済的価値を同一とする通貨を送金する様にしたので、施設を清掃するインセンティブを利用者に与えることができる。
また、利用者を採点して得た複数の採点に各々に対応する単一ポイント数を積算したポイント数に対応する対価と経済的価値を同一とする通貨を送金する様にしたので、施設を清掃するインセンティブを利用者に与えることができる。
【００２５】
以上説明したように、本発明に係る施設清掃管理プログラムは、その構成により、以下の効果を有する。
利用者に施設を利用する直前の施設が清掃されている程度を評価させた評価値を利用者ＩＤに関連づけ、特定利用者の利用者ＩＤに関連づけられた特定評価値と直後利用者の利用者ＩＤに関連づけられた直後評価値との差分を基に前記特定の利用者を採点し、採点した結果に基づき利用者に通貨を与える様にしたので、施設を清掃するインセンティブを利用者に与えることができる。
また、採点した結果に基づき採点された特定利用者ＩＤに関連づくポイント数を更新し、利用者に利用者ＩＤに関連づけられた前記ポイント数に対応する対価と経済的価値を同一とする通貨を送金する様にしたので、施設を清掃するインセンティブを利用者に与えることができる。
また、利用者を採点して得た複数の採点に各々に対応する単一ポイント数を積算した前記ポイント数に対応する対価と経済的価値を同一とする通貨を利用者に送金する様にしたので、施設を清掃するインセンティブを利用者に与えることができる。
【００２６】
以上説明したように、本発明に係る施設は、その構成により、以下の効果を有する。
利用者が施設を利用する直前の施設が清掃されている程度を特定の利用者に評価させ、特定の利用者から取得した特定評価値と直後の利用者から取得した直後評価値との差分を基に利用者を採点し、採点した結果に基づき利用者に通貨を与える様にしたので、施設を清掃するインセンティブを利用者に与えることができる。
また、採点した結果に基づき採点された特定利用者と前記特定利用者に与えるポイント数を関連づけ、利用者に利用者に関連づけられた前記ポイント数に対応する対価と経済的価値を同一とする通貨を送金する様にしたので、施設を清掃するインセンティブを利用者に与えることができる。
また、利用者を採点して得た複数の採点に各々に対応する単一ポイント数を積算したポイント数に対応する対価と経済的価値を同一とする通貨を送金する様にしたので、施設を清掃するインセンティブを利用者に与えることができる。
従って、公衆が利用する施設とその施設の清掃を管理する施設清掃管理方法と設清掃管理プログラムとを提供できる。
【図面の簡単な説明】
【００２７】
【図１】本発明の実施形態に係る完全自律型多目的衛生システムの概念図である。
【図２】本発明の実施形態に係る施設清掃管理方法のフロー図である。
【図３】本発明の実施形態に係る施設清掃管理プログラムの機能ブロック図である。
【図４】本発明の実施形態に係る施設清掃管理方法と施設清掃管理プログラムの作用説明図である。
【発明を実施するための形態】
【００２８】
以下に、本発明を実施するための形態を、図面を参照して説明する。
【００２９】
最初に、本発明の実施形態にかかる施設清掃管理方法と施設清掃管理プログラムとを実施するのに適した完全自律型多目的衛生システムを、図を基に、説明する。
図１は、本発明の実施形態に係るグローバルプラットフォーム１００と完全自律型多目的衛生システム２００の概念図である。
【００３０】
グローバルプラットフォーム１００は、完全自律型多目的衛生システム２００を普及させるためのシステムである。
グローバルプラットフォーム１００は、基幹システム１１０とスマートコントラクト１２０とブロックチェーン１３０とタイムスタンプ１４０と暗号システム１５０とＢＩＭ１６０と施設管理システム１７０とで構成される。
【００３１】
基幹システム１１０は、グローバルプラットフォーム１００の基幹システムである。
基幹システム１１０は、サーバクライアント形式であってもよい。
基幹システム１１０は、ブロックチェーン形式であってもよい。
【００３２】
スマートコントラクト１２０は、完全自律型多目的衛生システム２００を運営、構築するのに必要な契約を自動実行させるソフトウエアモジュールであってもよい。
スマートコントラクト１２０は、完全自律型多目的衛生システム２００を運営するための資金の授受の契約を自動実行させるソフトウエアモジュールであってもよい。
例えば、スマートコントラクト１２０は、後述する施設清掃管理を運営するに必要な通貨付与のための計画を自動実行させるソフトウエアモジュールである。
スマートコントラクト１２０は、完全自律型多目的衛生システム２００のための施設を構築するための契約を自動実行させるソフトウエアモジュールであってもよい。
スマートコントラクト１２０は、完全自律型多目的衛生システム２００のための施設を構築するための材料の授受の契約を自動実行させるソフトウエアモジュールであってもよい。
スマートコントラクト１２０は、完全自律型多目的衛生システム２００のための施設を構築するための材料の授受の契約を自動実行させるソフトウエアモジュールであってもよい。
【００３３】
ブロックチェーン１３０は、グローバルプラットフォーム１００の一部または全部をブロックチェーン技術をもちいて管理するためのソフトウエアモジュールである。
【００３４】
タイムスタンプ１４０は、グローバルプラットフォーム１００の一部または全部の時間経過を管理するためのソフトウエアモジュールである。
【００３５】
暗号システム１５０は、グローバルプラットフォーム１００の一部または全部を暗号化して管理するためのソフトウエアモジュールである。
【００３６】
ＢＩＭ１６０は、完全自律型多目的衛生システム２００を構成する施設を建造するためのＢｕｉｌｄｉｎｇ  Ｉｎｆｏｒｍａｔｉｏｎ  Ｍｏｄｅｌｉｎｇである。
【００３７】
施設管理システム１７０は、完全自律型多目的衛生システム２００を管理するためのソフトウエアモジュールである。
例えば、施設管理システム１７０は、完全自律型多目的衛生システム２００を構成する施設を管理するためのソフトウエアモジュールである。
例えば、施設管理システム１７０は、本発明の実施形態にかかる施設清掃管理方法を実行するためのソフトウエアモジュールである。
例えば、施設管理システム１７０は、本発明の実施形態にかかる施設清掃管理プログラムを含む。
【００３８】
完全自律型多目的衛生システム２００の一例を、図を基に、説明する。
【００３９】
完全自律型多目的衛生システム２００は、トイレ２１０と集水器２２０と集電器２３０とコンポスト器具２４０と利用者生体情報収集器具２５０と施設建造機器３００とで構成される。
協賛者２０が、完全自律型多目的衛生システム２００の趣旨に賛成し、資金を提供する。
設計者４０は、トイレ２１０を設計し、グローバルプラットフォーム１００にＢＩＭを登録する。
請負者３０は、トイレ２１０の建造を請け負い、トイレ２１０を建造する。
【００４０】
トイレ２１０は、自律型のトイレである。
トイレ２１０は、後述する施設建造機器３００により建造されてもよい。
トイレ２１０は、携帯電話網等の通信システムを介して施設清掃管理方法を実行するサーバと通信する。
【００４１】
集水器２２０は、トイレを運用するための水を収集する器具である。
例えば、集水器２２０は、雨水を溜めてトイレ２１０に供給する。
【００４２】
集電器２３０は、トイレを運用するための電力を収集する器具である。
例えば、集電器２３０は、太陽電池である。
例えば、集電器２３０は、風力発電器、水力発電器である。
【００４３】
コンポスト器具２４０は、トイレ２１０で溜めた利用者１０の排泄物を堆肥化する器具である。
農業者５０は、コンポスト器具２４０で製造された堆肥１６を受けとる。
【００４４】
利用者生体情報収集器具２５０は、トイレを利用する利用者１０の生体情報を収集する器具である。
例えば、生体情報は、体組成、体重、脈拍、尿および排泄物の組成等である。
利用者生体情報収集器具２５０は、トイレを利用する利用者１０の生体情報を収集し、グローバルプラットフォーム１００にアップロードする。
【００４５】
施設建造機器３００は、施設を建造する機器である。
例えば、施設建造機器３００は、ＢＩＭ１６０を基にトイレ２１０を建造する３Ｄプリンタである。
トイレの製造を請け負った請負者３０は、トイレのＢＩＭ１６０に基づき、施設建造機器３００を用いてトイレを製造する。
【００４６】
次に、本発明の実施形態にかかる施設利用方法と施設清掃管理方法とを、図を基に、説明する。
図２は、本発明の実施形態に係る施設利用方法と施設清掃管理方法のフロー図である。
本発明の実施形態に係る発明の実施形態にかかる施設清掃管理方法は、完全自律型多目的衛生システムの管理をする施設管理方法の一部である。
説明の便宜上、施設を利用する公衆を利用者１０と呼称する。  
【００４７】
本発明の実施形態にかかる施設利用方法は、施設を利用する方法である。
本発明の実施形態にかかる施設利用方法は、利用者の操作により実行される。
【００４８】
本発明の実施形態にかかる施設利用方法は、評価値送信工程Ｓ１３と送金要求送信工程Ｓ２１とで構成される。
本発明の実施形態にかかる施設利用方法は、利用者ＩＤ送信工程Ｓ１１と施設ＩＤ送信工程Ｓ１２と評価値送信工程Ｓ１３と送金要求送信工程Ｓ２１とで構成されてもよい。
本発明の実施形態にかかる施設利用方法は、利用者の操作する端末により実行される。
本発明の実施形態にかかる施設利用方法は、利用者のもつ端末であるスマートフォンで実行されてもよい。
本発明の実施形態にかかる施設利用方法は、トイレに据付けられ利用者により操作される端末により実行されてもよい。
【００４９】
利用者ＩＤ送信工程Ｓ１１は、利用者１０の操作により利用者ＩＤを送信する工程である。
施設ＩＤ送信工程Ｓ１２は、利用者１０の操作により施設ＩＤを送信する工程である。
評価値送信工程Ｓ１３は、利用者１０の操作により評価値を送信する工程である。
評価値送信工程Ｓ１３は、求めに応じて利用者１０の操作により評価値を送信する工程である。
評価値の詳細は、後述する。
送金要求送信工程Ｓ２１は、利用者１０の操作により送金要求を送信する工程である。
【００５０】
本発明の実施形態にかかる施設清掃管理方法は、公衆が利用する単数または複数の施設の清掃を管理する方法である。
施設は、トイレ、避難小屋、山小屋、シェルター、その他である。
以下では、施設がトイレである場合を例に、説明する。
【００５１】
本発明の実施形態にかかる施設清掃管理方法は、評価値取得工程Ｓ１２３と利用者採点工程Ｓ１２４と通貨付与工程Ｓ１２５とで構成される。
本発明の実施形態にかかる施設清掃管理方法は、利用者認証工程Ｓ１２１と利用記録更新工程Ｓ１２２と評価値取得工程Ｓ１２３と利用者採点工程Ｓ１２４と通貨付与工程Ｓ１２５とで構成されてもよい。
本発明の実施形態にかかる施設清掃管理方法は、利用者ＩＤ付与工程Ｓ１００と利用者認証工程Ｓ１２１と利用記録更新工程Ｓ１２２と評価値取得工程Ｓ１２３と利用者採点工程Ｓ１２４と通貨付与工程Ｓ１２５とで構成されてもよい。
各々の工程は、制御装置で実行されてもよい。
制御装置は、コンピュータで構成されてもよい。
制御装置は、ネットワークで繋がる複数のコンピュータで構成されてもよい。
コンピュータは、ＣＰＵ、メモリ、インターフェースで構成される。
【００５２】
利用者ＩＤ付与工程Ｓ１００は、予め施設を利用する公衆である利用者１０に利用者ＩＤを付与する工程である。
利用者ＩＤは、利用者に関連づけられるＩＤである。
【００５３】
利用者認証工程Ｓ１２１は、リアルタイムに施設を利用しようとする利用者１０を認証する工程である。
例えば、リアルタイムに施設を利用しようとする利用者１０を認証し利用者ＩＤを付与する。
【００５４】
利用記録更新工程Ｓ１２２は、リアルタイムに利用者１０が利用しようとする施設を認証し施設を利用しようとする利用者１０と認証した施設とを関連づけて施設の利用の推移を記録するＤＢである利用記録ＤＢを更新する工程である。
例えば、リアルタイムに利用者１０が利用しようとする施設を認証し施設の施設ＩＤを取得し施設を利用しようとする利用者１０の利用者ＩＤと取得した施設ＩＤとを関連づけて施設の利用の時系列推移を記録するＤＢである利用記録ＤＢを更新する。
【００５５】
評価値取得工程Ｓ１２３は、施設を利用する利用者１０に利用する直前の施設が清掃されている程度を評価させて施設を利用する利用者１０から利用する施設についての評価値を取得する工程である。
評価値取得工程Ｓ１２３は、施設を利用する利用者１０に利用する直前の施設が清掃されている程度である整理の程度・整頓の程度・奇麗さ、清潔度を評価させて施設を利用する利用者１０から利用する施設についての評価値を取得してもよい。
評価値取得工程Ｓ１２３は、施設を利用する利用者１０に利用する直前の施設が清掃されている程度を評価させて、所定の基準で施設を利用する利用者１０から利用する施設についての評価値を取得してもよい。
例えば、評価値取得工程Ｓ１２３は、施設を利用する利用者１０に利用する直前の施設が清掃されている程度を十段階で評価させて、施設を利用する利用者１０から利用する施設についての評価値を取得する。
評価値取得工程Ｓ１２３は、施設を利用する利用者１０に利用する直前の施設が清掃されている程度を所定の基準に従って評価させて施設を利用する利用者１０から利用する施設についての評価値を取得して利用記録ＤＢに追記してもよい。
【００５６】
利用者採点工程Ｓ１２４は、特定の利用者１０である特定利用者１０ａから取得した特定利用者が利用した特定の施設である特定施設についての評価値である特定評価値と特定利用者が特定施設を利用した直ぐ後に特定施設を利用した利用者１０である直後利用者１０ｂから取得した特定施設についての評価値である直後評価値との差分を基に特定利用者１０ａである利用者１０を採点する工程である。
利用者採点工程Ｓ１２４は、利用記録ＤＢに記録された特定の利用者１０である特定利用者１０ａから取得した特定利用者が利用した特定の施設である特定施設についての評価値である特定評価値と特定利用者が特定施設を利用した直ぐ後に特定施設を利用した利用者１０である直後利用者１０ｂから取得した特定施設についての評価値である直後評価値との差分を基に特定利用者１０ａである利用者１０を採点してもよい。
例えば、特定利用者１０ａが特定施設について十段階評価で４点を付け、直後利用者１０ｂが特定施設について十段階評価で９点を付けたとき、特定利用者１０ａを９点−４点＝５点と採点する。
【００５７】
通貨付与工程Ｓ１２５は、利用者採点工程Ｓ１２４で利用者１０を採点した結果に基づき採点された利用者１０に通貨を与える工程である。
通貨付与工程Ｓ１２５は、利用者採点工程Ｓ１２４で利用者１０を採点した結果に基づき採点された利用者１０に仮想通貨を与えてもよい。
ここで、仮想通貨は、グローバルプラットフォーム１００で管理運用される暗号通貨システムの通貨であってもよい。
【００５８】
通貨付与工程Ｓ１２５は、利用者レイティング工程Ｓ１２５ａと価値演算工程Ｓ１２５ｂと通貨送金工程Ｓ１２５ｃとで構成されてもよい。
【００５９】
利用者レイティング工程Ｓ１２５ａは、利用者採点工程Ｓ１２４で利用者１０を採点した結果に基づき採点された利用者１０と採点された利用者１０に与えられるポイント数とを関連づける工程である。
例えば、利用者に関連づけるポイント数は、利用者が採点した結果に対応する。
例えば、採点の点数である１点が１ポイントに対応する。
利用者レイティング工程Ｓ１２５ａは、利用者採点工程Ｓ１２４で利用者１０を採点した結果に基づき採点された利用者１０と採点された利用者１０に関連づけられるポイント数とを記録したＤＢであるポイント数ＤＢを更新してもよい。
例えば、特定利用者が５点と評価されたとき、特定利用者に５点のポイント数を記録する。
【００６０】
ポイント数は、利用者１０を採点して得た複数の採点に各々に対応する単一ポイント数を積算したものであってもよい。
例えば、利用者１０に関連づけられた単一ポイント数が施設１について１０点、別の時期に４点のとき、ポイント数は合計の１４点である。
例えば、利用者１０に関連づけられた単一ポイント数が施設１について１０点、施設２について５点のとき、ポイント数は合計の１５点である。
【００６１】
価値演算工程Ｓ１２５ｂは、利用者１０に関連づけられたポイント数に対応する経済的価値である対価を演算する工程である。
例えば、利用者１０に関連づけられたポイント数が１０点のとき、対価を１０ドルとする。
【００６２】
通貨送金工程Ｓ１２５ｃは、価値演算工程Ｓ１２５ｂで演算して得た対価と経済的価値を同一とする通貨を利用者１０へ送金する工程である。
通貨送金工程Ｓ１２５ｃは、価値演算工程Ｓ１２５ｂで演算して得た対価と経済的価値を同一とする仮想通貨を利用者１０へ送金してもよい。
通貨送金工程Ｓ１２５ｃは、自身を採点された結果に基づき通貨の送金を要求する利用者１０である要求利用者の求めに応じて、価値演算工程Ｓ１２５ｂで演算して得た対価と経済的価値を同一とする通貨を利用者１０へ送金してもよい。
通貨送金工程Ｓ１２５ｃは、自身を採点された結果に基づき通貨の送金を要求する利用者１０である要求利用者の求めに応じて、価値演算工程Ｓ１２５ｂで演算して得た対価と経済的価値を同一とする仮想通貨を利用者１０へ送金してもよい。
例えば、要求利用者の求めに応じて、価値演算工程Ｓ１２５ｂで演算して得た対価である１０ドルと経済的価値を同一とする仮想通貨を利用者１０へ送金する。
１０ドルに相当する仮想通貨が要求利用者のウォレットに入金される。
【００６３】
次に、本発明の実施形態にかかる施設清掃管理プログラムを、図を基に、説明する。
図３は、本発明の実施形態に係る施設清掃管理プログラムの機能ブロック図である。
本発明の実施形態に係る施設清掃管理プログラムは、公衆が利用する単数または複数の施設の清掃を管理するためのプログラムである。
【００６４】
本発明の実施形態に係る施設清掃管理プログラムは、施設の清掃を管理する制御装置に利用者ＩＤ付与機能Ｆ１００と評価値取得機能Ｆ１２３と利用者採点機能Ｆ１２４と通貨付与機能Ｆ１２５とを実現させるものである。
本発明の実施形態に係る施設清掃管理プログラムは、施設の清掃を管理する制御装置に利用者ＩＤ付与機能Ｆ１００と利用者認証機能Ｆ１２１と利用記録更新機能Ｆ１２２と評価値取得機能Ｆ１２３と利用者採点機能Ｆ１２４と通貨付与機能Ｆ１２５とを実現させてもよい。
制御装置は、コンピュータで構成されてもよい。
制御装置は、ネットワークで繋がる複数のコンピュータで構成されてもよい。
コンピュータは、ＣＰＵ，メモリ、インターフェースで構成される。
【００６５】
利用者ＩＤ付与機能Ｆ１００は、予め施設を利用する公衆である利用者１０に利用者ＩＤを付与する機能である。
【００６６】
利用者認証機能Ｆ１２１は、リアルタイムに施設を利用しようとする利用者１０を認証し施設を利用しようとする利用者１０の利用者ＩＤを取得する機能である。
【００６７】
利用記録更新機能Ｆ１２２は、リアルタイムに利用者１０が利用しようとする施設を認証し施設の施設ＩＤを取得し施設を利用しようとする利用者１０の利用者ＩＤと取得した施設ＩＤとを関連づけて施設の利用の時系列推移を記録するＤＢである利用記録ＤＢを更新する機能である。
【００６８】
評価値取得機能Ｆ１２３は、施設を利用する利用者１０に利用する直前の施設が清掃されている程度を評価させて利用者１０から利用する施設についての評価値を取得する機能である。
評価値取得機能Ｆ１２３は、施設を利用する利用者１０に利用する直前の施設が清掃されている程度である整理の程度・整頓の程度・奇麗さ、清潔度を評価させて利用者１０から利用する施設についての評価値を取得する機能であってもよい。
評価値取得機能Ｆ１２３は、施設を利用する利用者１０に利用する直前の施設が清掃されている程度を所定の基準に従って評価させて利用者１０から利用する施設についての評価値を取得する機能であってもよい。
評価値取得機能Ｆ１２３は、施設を利用する利用者１０に利用する直前の施設が清掃されている程度を評価させて利用者１０から利用する施設についての評価値を取得して利用記録ＤＢに追記する機能であってもよい。
評価値取得機能Ｆ１２３は、施設を利用する利用者１０に利用する直前の施設が清掃されている程度である整理の程度・整頓の程度・奇麗さ、清潔度を所定の基準に従って評価させて利用者１０から利用する施設についての評価値を取得して利用記録ＤＢに追記する機能であってもよい。
【００６９】
利用者採点機能Ｆ１２４は、特定の利用者１０である特定利用者１０ａから取得した特定利用者１０ａが利用した特定の施設である特定施設についての評価値である特定評価値と特定利用者１０ａが特定施設を利用した直ぐ後に特定施設を利用した利用者１０である直後利用者１０ｂから取得した特定施設についての評価値である直後評価値との差分を基に特定利用者１０ａである利用者１０を採点する機能である。
利用者採点機能Ｆ１２４は、利用記録ＤＢに記録された特定の利用者１０である特定利用者１０ａから取得した特定利用者１０ａが利用した特定の施設である特定施設についての評価値である特定評価値と特定利用者１０ａが特定施設を利用した直ぐ後に特定施設を利用した利用者１０である直後利用者１０ｂから取得した特定施設についての評価値である直後評価値との差分を基に特定利用者１０ａである利用者１０を採点する機能であってもよい。
【００７０】
通貨付与機能Ｆ１２５は、利用者採点機能Ｆ１２４を実現して利用者１０を採点した結果に基づき採点された利用者１０に通貨を与える機能である。
通貨付与機能Ｆ１２５は、利用者採点機能Ｆ１２４を実現して利用者１０を採点した結果に基づき採点された利用者１０に仮想通貨を与えてもよい。
【００７１】
通貨付与機能Ｆ１２５は、利用者レイティング機能Ｆ１２５ａと価値演算機能Ｆ１２５ｂと通貨送金機能Ｆ１２５ｃとで構成されていてもよい。
【００７２】
利用者レイティング機能Ｆ１２５ａ  は、利用者採点機能Ｆ１２４を実現して利用者１０を採点した結果に基づき採点された利用者１０の利用者ＩＤと採点された利用者１０の利用者ＩＤに関連づけられるポイント数とを記録したＤＢであるポイント数ＤＢを更新する機能である。
ポイント数は利用者１０を採点して得た複数の採点に各々に対応する単一ポイント数を積算したものであってもよい。
【００７３】
価値演算機能Ｆ１２５ｂは、利用者１０の利用者ＩＤに関連づけられたポイント数に対応する経済的価値である対価を演算する機能である。
【００７４】
通貨送金機能Ｆ１２５ｃは、価値演算機能Ｆ１２５ｂを実現して得た対価と経済的価値を同一とする通貨を要求利用者へ送金する機能である。
通貨送金機能Ｆ１２５ｃは、価値演算機能Ｆ１２５ｂを実現して得た対価と経済的価値を同一とする仮想通貨を要求利用者へ送金する機能である。
通貨送金機能Ｆ１２５ｃは、採点された結果に基づき通貨の送金を要求する利用者１０である要求利用者の求めに応じて、価値演算機能Ｆ１２５ｂを実現して得た対価と経済的価値を同一とする通貨を要求利用者へ送金する機能である。
【００７５】
以下に、本発明の実施形態にかかる施設を、説明する。
説明の便宜上、施設を利用する公衆を利用者１０と呼称する。
【００７６】
本発明の実施形態にかかる施設は、施設を利用する利用者１０に利用する直前の施設が清掃されている程度を評価させて施設を利用する利用者１０から利用する施設についての評価値を取得し、特定の利用者１０である特定利用者１０ａから取得した特定利用者１０ａが利用した特定の施設である特定施設についての評価値である特定評価値と特定利用者１０ａが特定施設を利用した直ぐ後に特定施設を利用した利用者１０である直後利用者１０ｂから取得した特定施設についての評価値である直後評価値との差分を基に特定利用者１０ａである利用者１０を採点し、利用者１０を採点した結果に基づき採点された利用者１０に通貨を与える。
【００７７】
本発明の実施形態にかかる施設は、リアルタイムに施設を利用しようとする利用者１０を認証し、リアルタイムに利用者１０が利用しようとする施設を認証し施設を利用しようとする利用者１０と認証した施設とを関連づけて施設の利用の推移を記録するＤＢである利用記録ＤＢを更新し、施設を利用する利用者１０に利用する直前の施設が清掃されている程度を評価させて施設を利用する利用者１０から利用する施設についての評価値を取得し、特定の利用者１０である特定利用者１０ａから取得した特定利用者１０ａが利用した特定の施設である特定施設についての評価値である特定評価値と特定利用者１０ａが特定施設を利用した直ぐ後に特定施設を利用した利用者１０である直後利用者１０ｂから取得した特定施設についての評価値である直後評価値との差分を基に特定利用者１０ａである利用者１０を採点し、採点した結果に基づき採点された利用者１０に通貨を与えてもよい。
【００７８】
利用者１０を採点した結果に基づき採点された利用者１０に通貨を与えるときに、利用者１０を採点した結果に基づき採点された利用者１０と採点された利用者１０に与えられるポイント数とを関連づけし、利用者１０に関連づけられたポイント数に対応する経済的価値である対価を演算し、演算して得た対価と経済的価値を同一とする通貨を利用者１０へ送金してもよい。
利用者１０を採点した結果に基づき採点された利用者１０に通貨を与えるときに、利用者１０を採点した結果に基づき採点された利用者１０と採点された利用者１０に関連づけられるポイント数とを記録したＤＢであるポイント数ＤＢを更新し、利用者１０に関連づけられたポイント数に対応する経済的価値である対価を演算し、演算して得た対価と経済的価値を同一とする通貨を利用者１０へ送金してもよい。
【００７９】
ポイント数は、利用者１０を採点して得た複数の採点に各々に対応する単一ポイント数を積算したものであってもよい。
例えば、ポイント数は、利用者１０を採点して得た複数の施設についての採点に各々に対応する単一ポイント数を積算したものである。
例えば、ポイント数は、利用者１０を採点して得た同一の施設についての複数の採点に各々に対応する単一ポイント数を積算したものである。
例えば、ポイント数は、利用者１０を採点して得た複数の施設についての複数の採点に各々に対応する単一ポイント数を積算したものである。
【００８０】
以下に、本発明の実施形態にかかる施設と施設清掃管理方法と施設清掃管理プログラムの作用を、図を基に、説明する。
図４は、本発明の実施形態に係る施設と施設清掃管理方法と施設清掃管理プログラムの作用説明図である。
【００８１】
＜トイレをスマートロックにより解錠（本人認証）＞
利用者１０が、トイレのドアの前に立ち、スマートフォンにより解錠操作をおこなう。
【００８２】
＜本人認証＞
施設清掃管理システムが、利用者１０を認証し、トイレのドアを開ける。
施設清掃管理システムが、利用者１０を認証し、利用者ＩＤと施設ＩＤを取得させる。
利用者１０がトイレに入る。
【００８３】
＜トイレ利用中に利用記録ＤＢを更新＞
利用者１０がトイレを利用中に、施設清掃管理システムが、利用者ＩＤと施設ＩＤを利用記録ＤＢに追記して、利用記録ＤＢを更新する。
利用記録ＤＢは、ブロックチェーン技術により管理される。
【００８４】
＜十段階評価を要求＞
施設清掃管理システムが、利用者１０に利用する直前のトイレの清掃の程度を十段階で評価することを求める。
【００８５】
＜トイレの清掃状態を十段階で評価＞
施設清掃管理システムの求めに応じて、利用者１０がトイレの清掃状態を十段階で評価する。
利用者１０が評価した結果をスマートホンに入力する。
施設清掃管理システムが、利用者１０がした評価を受け取る。
利用者１０は、トイレを利用した後、トイレから出て立ち去る。
【００８６】
＜ポイント数ＤＢを更新＞
施設清掃管理システムが、ポイント数ＤＢを更新する。
施設清掃管理システムが、利用者１０に関連づけられるポイント数ＤＢを更新する。
【００８７】
＜レイティングに基づき利用者１０への送金額を計算する。＞
施設清掃管理システムが、レイティングに基づき利用者１０への送金額を計算する。
施設清掃管理システムが利用者１０に関連づけられるポイント数ＤＢに基づき利用者１０への送金額を計算する。
【００８８】
＜利用者のアカウントに送金する＞
施設清掃管理システムが利用者１０のアカウントに送金する。
施設清掃管理システムが送金額に相当する通貨を利用者１０のアカウントに送金する。
施設清掃管理システムが、利用者１０の求め応じて、送金額に相当する通貨を利用者１０のアカウントの口座に送金する。
【００８９】
＜受領する＞
利用者１０のアカウントの口座が、送金を受領する。
【００９０】
また、本発明の実施形態に係る施設清掃管理方法は、その構成により、以下の効果を有する。
利用者１０が施設を利用する直前の施設が清掃されている程度である整理の程度・整頓の程度・奇麗さ・清潔度を利用者１０に所定の基準に従って評価させ、特定の利用者１０ａから取得した特定評価値と直後の利用者１０ｂから取得した直後評価値との差分を基に特定の利用者１０ａである利用者１０を採点し、採点した結果に基づき利用者１０に法定通貨または仮想通貨を与える様にしたので、施設を清掃するインセンティブを利用者１０に与えることができる。
また、採点した結果に基づき採点された利用者に関連づけられたポイント数を更新し、利用者１０に利用者１０に関連づけられたポイント数に対応する対価と経済的価値を同一とする法定通貨または仮想通貨を送金する様にしたので、施設を清掃するインセンティブを利用者１０に与えることができる。
また、利用者１０を採点して得た複数の採点に各々に対応する単一ポイント数を積算したポイント数に対応する対価と経済的価値を同一とする法定通貨または仮想通貨を送金する様にしたので、施設を清掃するインセンティブを利用者１０に与えることができる。
【００９１】
また、本発明の実施形態に係る施設清掃管理プログラムは、その構成により、以下の効果を有する。
利用者１０が施設を利用する直前の施設が清掃されている程度である整理の程度・整頓の程度・奇麗さ・清潔度を所定の基準に従って評価させた評価値を利用者ＩＤに関連づけ、特定の利用者１０ａの利用者ＩＤに関連づけられた特定評価値と直後の利用者１０ｂの利用者ＩＤに関連づけられた直後評価値との差分を基に特定の利用者１０ａである利用者１０を採点し、採点した結果に基づき利用者１０に法定通貨または仮想通貨を与える様にしたので、施設を清掃するインセンティブを利用者１０に与えることができる。
また、採点した結果に基づき採点された特定利用者ＩＤに関連づけられたポイント数を更新し、利用者１０に利用者ＩＤに関連づけられたポイント数に対応する対価と経済的価値を同一とする法定通貨または仮想通貨を送金する様にしたので、施設を清掃するインセンティブを利用者１０に与えることができる。
また、利用者１０を採点して得た複数の採点に各々に対応する単一ポイント数を積算したポイント数に対応する対価と経済的価値を同一とする法定通貨または仮想通貨を送金する様にしたので、施設を清掃するインセンティブを利用者１０に与えることができる。
【００９２】
また、本発明の実施形態に係る施設は、その構成により、以下の効果を有する。
利用者１０が施設を利用する直前の施設が清掃されている程度である整理の程度・整頓の程度・奇麗さ・清潔度を所定の基準に従って評価させ、特定の利用者１０ａから取得した特定評価値と直後の利用者１０ｂから取得した直後評価値との差分を基に特定の利用者１０ａである利用者１０を採点し、採点した結果に基づき利用者１０に法定通貨または仮想通貨を与える様にしたので、施設を清掃するインセンティブを利用者１０に与えることができる。
また、採点した結果に基づき採点された利用者に関連づけられたポイント数を更新し、利用者１０に利用者１０に関連づけられたポイント数に対応する対価と経済的価値を同一とする法定通貨または仮想通貨を送金する様にしたので、施設を清掃するインセンティブを利用者１０に与えることができる。
また、利用者１０を採点して得た複数の採点に各々に対応する単一ポイント数を積算したポイント数に対応する対価と経済的価値を同一とする法定通貨または仮想通貨を送金する様にしたので、施設を清掃するインセンティブを利用者１０に与えることができる。
【００９３】
本発明は以上に述べた実施形態に限られるものではなく、発明の要旨を逸脱しない範囲で各種の変更が可能である。
施設をトイレであるとして説明したが、これに限定されない。例えば、施設は、トイレ、避難小屋、山小屋、シェルター、その他の公衆が利用する施設であってもよい。
【符号の説明】
【００９４】
１０  利用者
１０ａ  特定利用者
１０ｂ  直後利用者
１６  堆肥
２０  協賛者
３０  請負者
４０  設計者
５０  農業者
１００  グローバルプラットフォーム
１１０  基幹システム
１２０  スマートコントラクト
１３０  ブロックチェーン
１４０  タイムスタンプ
１５０  暗号システム
１６０  ＢＩＭ（Ｂｕｉｌｄｉｎｇ  Ｉｎｆｏｒｍａｔｉｏｎ  Ｍｏｄｅｌｉｎｇ）
１７０  施設管理システム
２００  完全自律型多目的衛生システム
２１０  トイレ
２２０  集水器
２３０  集電器
２４０  コンポスト器具
２５０  利用者生体情報収集器具
３００  施設建造機器
Ｓ１１  利用者ＩＤ送信工程
Ｓ１２  施設ＩＤ送信工程
Ｓ１３  評価値送信工程
Ｓ２１  送金要求送信工程
Ｓ１２１  利用者認証工程
Ｓ１２２  利用記録更新工程
Ｓ１２３  評価値取得工程
Ｓ１２４  利用者採点工程
Ｓ１２５  通貨付与工程
Ｓ１２５ａ  利用者レイティング工程
Ｓ１２５ｂ  価値演算工程
Ｓ１２５ｃ  通貨送金工程
Ｆ１００  利用者ＩＤ付与機能
Ｆ１２１  利用者認証機能
Ｆ１２２  利用記録更新機能
Ｆ１２３  評価値取得機能
Ｆ１２４  利用者採点機能
Ｆ１２５  通貨付与機能
Ｆ１２５ａ  利用者レイティング機能
Ｆ１２５ｂ  価値演算機能
Ｆ１２５ｃ  通貨送金機能
【先行技術文献】
【特許文献】
【００９５】
【特許文献１】特開２００５−１０７５９４号
【特許文献２】特開２０１８−１０９８４７号
【特許文献３】特許第５５７８６９０号
【特許文献４】特開２００６−１６３８９９号
【特許文献５】特開２０１８−１３６７２９号
【特許文献６】特許第６２９７１９６号
【特許文献７】特表２０１３−５３１８５５号
【特許文献８】特開２０１１−２４２９３５号
【図１】
2020086635.tif 000003
【図２】
2020086635.tif 000004
【図３】
2020086635.tif 000005
【図４】
2020086635.tif 000006